(57)【特許請求の範囲】
【請求項１】
放射性溶液の配管から突設されたサンプリングノズルの上端部に開口部を持つ袋を装着したうえ、サンプリングノズルの上端部に中空ニードルを取付け、次に複数の真空容器がセットされたハンドル付きのサンプリング治具を袋の内部に入れて袋の開口部を閉じたのち、袋の外側からサンプリング治具を操作して中空ニードルの先端を真空容器に順次突き刺し、配管内から放射性溶液を真空容器内に吸引することを特徴とする放射性溶液のサンプリング方法。
【請求項２】
複数の真空容器をその底面が露出するようにセットできる容器保持部の両側に、操作用のハンドルを突設するとともに、サンプリングノズルの上端部への仮置き用係合部を、中心部下面に設けたことを特徴とするサンプリング治具。
【発明の詳細な説明】
【０００１】
【発明の属する技術分野】
本発明は、配管中を流れる放射性溶液のサンプリング方法およびサンプリング治具に関するものである。
【０００２】
【従来の技術】
例えば核燃料再処理工場においては、ウランやプルトニウム等の放射性物質を含む放射性溶液が配管中を流れており、その濃度監視などの目的で定期的なサンプリングを行なう必要がある。このため、従来は可動型のグローブボックスを配管に設けられているサンプリングノズルの位置まで移動させ、このグローブボックス内部にジャグと呼ばれるサンプリング用の真空容器を入れ、サンプリングノズルに取り付けたステンレスホースの先端をグローブボックス内部で真空容器に刺し込んで、サンプリングを行なっていた。
【０００３】
しかしこのような従来法ではサンプリングのたびに大型のグローブボックスを移動させねばならず、しかもグローブボックス内部での作業が必要となるために作業性が悪いという問題があった。特に多数本の真空容器にサンプリングを行ないたい場合には、作業が煩雑となり、長時間を要するという問題があった。
【０００４】
【発明が解決しようとする課題】
本発明は上記した従来の問題点を解決し、作業性よくしかも安全に配管内の放射性溶液を多数本の真空容器内にサンプリングすることができる放射性溶液のサンプリング方法およびサンプリング治具を提供するためになされたものである。
【０００５】
【課題を解決するための手段】
上記の課題を解決するためになされた本発明の放射性溶液のサンプリング方法は、放射性溶液の配管から突設されたサンプリングノズルの上端部に開口部を持つ袋を装着したうえ、サンプリングノズルの上端部に中空ニードルを取付け、次に複数の真空容器がセットされたハンドル付きのサンプリング治具を袋の内部に入れて袋の開口部を閉じたのち、袋の外側からサンプリング治具を操作して中空ニードルの先端を真空容器に順次突き刺し、配管内から放射性溶液を真空容器内に吸引することを特徴とするものである。
【０００６】
また本発明のサンプリング治具は、複数の真空容器をその底面が露出するようにセットできる容器保持部の両側に、操作用のハンドルを突設するとともに、サンプリングノズルの上端部への仮置き用係合部を、中心部下面に設けたことを特徴とするものである。
【０００７】
本発明によれば、袋の中に入れたサンプリング治具を袋の外側から操作することによって、複数の真空容器に配管内から放射性溶液をサンプリングすることができるので、従来のグローブボックス方式に比較して作業性に優れることはもちろん、放射性溶液が外部に洩れる可能性はなく、安全にサンプリングすることができる利点がある。
【０００８】
【発明の実施の形態】
以下に本発明の好ましい実施形態を示す。
図１〜図３は本発明の実施形態のサンプリング治具を示す図である。このサンプリング治具は、上板１の下方に４本の吊りボルト２によって下板３を着脱自在に支持させ、容器保持部４を構成したものである。下板３には図３に示すように複数の孔５が形成されており、これらの孔５にそれぞれ真空容器６のやや細径となった下端部を挿入して底面７を下板３の下方に露出させたうえで、図２のように吊りボルト２によって下板３を上板１の下方に取り付ける。
【０００９】
図示の実施形態では、１０本の真空容器６がその底面７を下板３の下方に露出させた状態で、容器保持部４にセットされている。また各真空容器６の上端は上板１の下面に密着されている。各真空容器６はジャグと呼ばれ、乳酸菌飲料の容器のような合成樹脂製の小型容器であり、その内部は真空とされて後述するように中空ニードルを突き刺すだけで、放射性溶液を吸引できるようになっている。
【００１０】
上板１の上部には、操作用のハンドル８が固定されている。ハンドル８の両端は容器保持部４の両側に突出され、下方に屈曲されている。また図１に示すように、上板１の２ヵ所にはゴムキャップを乗せるための凹部９が形成されている。ゴムキャップについては後述する。さらにサンプリング治具全体の中心部下面に相当する下板３の中央部には、上面に有孔板を備えた短いパイプが突設されてサンプリングノズルの上端部への仮置き用係合部１０を構成している。その使用法についても後述する。
【００１１】
以下に図４〜図９を参照しつつ、上記の治具を用いた放射性溶液のサンプリング方法について詳細に説明する。
図４の下部に示された１１は内部を放射性溶液が流れる配管であり、１２はその上部に突設されたサンプリングノズルである。配管１１の内部には、例えばウランやプルトニウム等の放射性物質を含む放射性溶液が流れている。サンプリングノズル１２の上端は常時は図示しないキャップにより封鎖されているが、サンプリングを行なう際には予めこのキャップを取り外す。ただしサンプリングノズル１２にはボール弁１３が設けられているので、キャップを取り外しただけでは放射性物質が外部に洩れることはない。
【００１２】
先ず図４Ａに示すように、キャップが取り外されたサンプリングノズル１２の上端部に、袋１４を装着する。袋１４は上部に開口部１５を備えている。その材質は放射性物質の漏洩を防止できる合成樹脂とし、内部が見やすいように無色透明としておくことが好ましい。
【００１３】
次に図４Ｂに示すように、下端部をゴム栓１６に貫通させた中空ニードル１７を上部の開口部１５から袋１４の中に入れ、ゴム栓１６をサンプリングノズル１２の上端部に嵌合させる。この状態では中空ニードル１７の上端はゴムキャップ１８により封止されている。この状態でサンプリングノズル１２のボール弁１３を開放する。
【００１４】
次に図４Ｃに示すように、ゴム栓１６に対して中空ニードル１７を押し下げ、その下端が配管１１の放射性溶液に達するようにする。中空ニードル１７はこの位置でゴム栓１６によって保持される。なおこの部分は、図１０に拡大されて示されている。ただし図１０は図５Ｅの拡大図である。
【００１５】
次に図５Ｄに示すように、前記したサンプリング治具を上部の開口部１５から袋１４の中に入れ、中空ニードル１７の上端のゴムキャップ１８を外す。このゴムキャップ１８はサンプリング治具の上板１に形成されたゴムキャップ１８を乗せるための凹部９にセットする。
【００１６】
次に図５Ｅに示すように、サンプリング治具をサンプリングノズル１２の上端部に仮置きする。このために、サンプリング治具全体の中心部下面に形成された仮置き用係合部１０が使用される。すなわち図１０に拡大して示したように、サンプリングノズル１２の上端部に嵌合させたゴム栓１６が仮置き用係合部１０に入るようにサンプリング治具を垂直に下げて行くと、仮置き用係合部１０はサンプリング治具全体の中心部に位置するため、比較的安定した状態で仮置きができる。この状態で、袋１４の開口部１５を閉じて内部を密封する。
【００１７】
次に図５Ｆに示すように、袋１４の外側からサンプリング治具のハンドル８を握り、サンプリング治具をサンプリングノズル１２の上端部から持ち上げる。なお、この操作を容易にするために、袋１４の両側にはグローブ１９を形成しておくことが好ましい。そして図５Ｇに示すように、中空ニードル１７の尖った上端が真空容器６の露出した底面７を突き刺すようにサンプリング治具を押し下げる。これと同時に真空容器６内の真空圧によって、配管１１内から放射性溶液が中空ニードル１７を介して真空容器６内に吸引される。
【００１８】
一つの真空容器６内へのサンプリングが終了したら、図６Ｈに示すようにサンプリング治具を持ち上げて中空ニードル１７の上端を真空容器６から引きぬき、図７Ｉに示すように次の真空容器６の底面７を突き刺す操作を必要回数繰り返す。これによって、サンプリング治具の容器保持部４にセットされた全ての真空容器６へのサンプリングを、短時間内に簡単に完了させることができる。なお、真空容器６の底面は中空ニードル１７を引きぬくと自然に封鎖される構造となっている。
【００１９】
その後、図７Ｊに示すように再び中空ニードル１７の上端にゴムキャップ１８を取付け、袋１４の上部を開いてサンプリング治具を真空容器６とともに外部に取り出す。
【００２０】
さらに、図８Ｋに示すように再び袋１４の開口部１５を閉じ、図８Ｌに示すように中空ニードル１７をゴム栓１６とともにサンプリングノズル１２の上端部から引きぬく。そして図８Ｍに示すように袋１４の下部を閉じて中空ニードル１７を袋１４内に封入し、図８Ｎに示すように中空ニードル１７を袋１４ごと廃棄する。最後にサンプリングノズル１２のボール弁１３を閉じ、キャップを取り付けて全部の操作が完了する。
【００２１】
上記した実施形態では１０本の真空容器６に放射性溶液のサンプリングを行なったが、図７Ｊの状態で新しいサンプリング治具を袋１４の中に入れ、図５Ｅ以下の同様の操作を繰り返せば、任意の本数の真空容器６に放射性溶液のサンプリングを行なうことができる。なお、袋１４から取り出されたサンプリング治具は吊りボルト２を弛めて下板３を外し、真空容器６を取り外せば良い。
【００２２】
【発明の効果】
以上の説明から明らかなように、本発明の放射性溶液のサンプリング方法によれば、袋の外側からサンプリング治具を操作して中空ニードルの先端を真空容器に順次突き刺し、配管内から放射性溶液を真空容器内に吸引する方法を採用したので、作業性よくしかも安全に放射性溶液のサンプリングを行なうことができる。
【００２３】
また本発明のサンプリング治具は、複数の真空容器をセットして袋の外側からハンドルで容易に操作することができ、本発明の方法を実施するうえで有用なものである。しかも、サンプリングノズルの上端部への仮置き用係合部を備えたものであるから、袋の開閉を行なう際に仮置きすることができ、作業性よくサンプリング作業を進めることができる利点がある。
【図面の簡単な説明】
【図１】本発明のサンプリング治具を示す平面図である。
【図２】本発明のサンプリング治具を示す正面図である。
【図３】本発明のサンプリング治具を示す底面図である。
【図４】本発明のサンプリング方法の工程説明図である。
【図５】本発明のサンプリング方法の工程説明図である。
【図６】本発明のサンプリング方法の工程説明図である。
【図７】本発明のサンプリング方法の工程説明図である。
【図８】本発明のサンプリング方法の工程説明図である。
【図９】本発明のサンプリング方法の工程説明図である。
【図１０】図５Ｅの拡大図である。
【符号の説明】
１  サンプリング治具の上板、２  吊りボルト、３  下板、４  容器保持部、５  孔、６  真空容器、７  底面、８  ハンドル、９  凹部、１０  仮置き用係合部、１１  放射性溶液が流れる配管、１２  サンプリングノズル、１３  ボール弁、１４  袋、１５  開口部、１６  ゴム栓、１７  中空ニードル、１８  ゴムキャップ、１９  グローブ
【図１】
0003540307.tif 000002
【図２】
0003540307.tif 000003
【図３】
0003540307.tif 000004
【図４】
0003540307.tif 000005
【図５】
0003540307.tif 000006
【図６】
0003540307.tif 000007
【図７】
0003540307.tif 000008
【図８】
0003540307.tif 000009
【図９】
0003540307.tif 000010
【図１０】
0003540307.tif 000011